(57)【要約】【課題】  電源のスイッチを入れた状態でコネクタを抜き差ししたり、コネクタを逆に差し込んだ場合において、電子部品を搭載する基板へ悪影響を与えない。【解決手段】  コネクタが正しく挿入されているかどうかを判断するために、活線挿抜を防止したい配線について、これらのコネクタを全部経由する活線挿抜検出用の配線を設けている。コネクタが正しく挿入されているときにのみ、活線挿抜検出用の配線は直列に接続され、各基板を一周する。電源部で当該配線の一端に活線挿抜防止信号を送り他端でこれを検出することにより、当該配線のループが完成したかどうかを判断する。当該配線のループが完成したときに電源部は各基板に対して電源を供給する。【選択図】        図２
2005224539.tif 000002
【特許請求の範囲】
【請求項１】
電源を供給する電源部と、遊技機の制御を行う第１処理部と、前記第１処理部からコマンドを受けて動作する第２処理部と、前記第１処理部又は前記第２処理部の制御を受けて動作する周辺基板と、前記電源部から前記第１処理部、前記第２処理部及び前記周辺基板を含む複数の基板への配線を中継する中継基板と、両端にコネクタが設けられ、前記電源部と前記中継基板の間を接続する第１配線と、両端にコネクタが設けられ、前記中継基板と前記複数の基板の間をそれぞれ接続する複数の第２配線とを備える遊技機において、
前記第１配線及び前記第２配線のコネクタの予め定められた端子に、活線挿抜防止信号送出端子と活線挿抜防止信号応答端子が割り当てられ、
前記中継基板は、前記第１配線のコネクタと嵌め合う第１コネクタと、前記第２配線のコネクタとそれぞれ嵌め合う複数の第２コネクタとを備え、前記第１コネクタの前記活線挿抜防止信号送出端子は、いずれかの前記第２コネクタの活線挿抜防止信号送出端子と接続され、前記第１コネクタの前記活線挿抜防止信号応答端子は、いずれかの前記第２コネクタの活線挿抜防止信号応答端子と接続され、前記第１コネクタに接続されていない前記第２コネクタの活線挿抜防止信号送出端子と活線挿抜防止信号応答端子について前記第２コネクタ相互間で一方の活線挿抜防止信号送出端子が他方の活線挿抜防止信号応答端子に接続され、
前記複数の基板は、前記第２配線のコネクタと嵌め合う基板側コネクタをそれぞれ備え、前記基板側コネクタの活線挿抜防止信号送出端子と活線挿抜防止信号応答端子が短絡され、
前記電源部は、前記第１配線の活線挿抜防止信号送出端子で活線挿抜防止信号を送り、前記第１配線の活線挿抜防止信号応答端子から活線挿抜防止信号の応答を受けたとき、前記複数の基板に電源を供給することを特徴とする遊技機。
【請求項２】
電源を供給する電源部と、遊技機の制御を行う第１処理部と、前記第１処理部からコマンドを受けて動作する第２処理部と、前記第１処理部又は前記第２処理部の制御を受けて動作する周辺基板と、前記電源部から前記第１処理部、前記第２処理部及び前記周辺基板を含む複数の基板への配線を中継する中継基板と、両端にコネクタが設けられ、前記電源部と前記中継基板の間を接続する第１配線と、両端にコネクタが設けられ、前記中継基板と前記複数の基板の間をそれぞれ接続する複数の第２配線と、両端にコネクタが設けられ、前記第１処理部と前記第２処理部の間を接続する第３配線とを備える遊技機において、
前記第１配線、前記第２配線乃至前記第３配線のコネクタの予め定められた端子に、活線挿抜防止信号送出端子と活線挿抜防止信号応答端子が割り当てられ、
前記中継基板は、前記第１配線のコネクタと嵌め合う第１コネクタと、前記第２配線のコネクタとそれぞれ嵌め合う複数の第２コネクタとを備え、前記第１コネクタの前記活線挿抜防止信号送出端子は、いずれかの前記第２コネクタの活線挿抜防止信号送出端子と接続され、前記第１コネクタの前記活線挿抜防止信号応答端子は、いずれかの前記第２コネクタの活線挿抜防止信号応答端子と接続され、前記第１コネクタに接続されていない前記第２コネクタの活線挿抜防止信号送出端子と活線挿抜防止信号応答端子について前記第２コネクタ相互間で一方の活線挿抜防止信号送出端子が他方の活線挿抜防止信号応答端子に接続され、
前記第１処理部は、前記第２配線のコネクタと嵌め合う第１処理部側コネクタと、前記第３配線のコネクタと嵌め合う通信用コネクタを備え、前記第１処理部側コネクタの活線挿抜防止信号送出端子は、前記通信用コネクタの活線挿抜防止信号送出端子と接続され、前記第１処理部側コネクタの活線挿抜防止信号応答端子は、前記通信用コネクタの活線挿抜防止信号応答端子と接続され、
前記第２処理部は、前記第２配線のコネクタと嵌め合う第２処理部側コネクタと、前記第３配線のコネクタと嵌め合う通信用コネクタを備え、前記第２処理部側コネクタの活線挿抜防止信号送出端子と活線挿抜防止信号応答端子が短絡されるとともに、前記通信用コネクタの活線挿抜防止信号送出端子と活線挿抜防止信号応答端子が短絡され、
前記電源部は、前記第１配線の活線挿抜防止信号送出端子で活線挿抜防止信号を送り、前記第１配線の活線挿抜防止信号応答端子から活線挿抜防止信号の応答を受けたとき、前記複数の基板に電源を供給することを特徴とする遊技機。
【請求項３】
前記活線挿抜防止信号送出端子と前記活線挿抜防止信号応答端子は、コネクタの中心に関して互いに非対称な位置の端子にそれぞれ割り当てられていることを特徴とする請求項１又は請求項２記載の遊技機。
【請求項４】
前記第２配線のコネクタの前記活線挿抜防止信号送出端子と前記活線挿抜防止信号応答端子の割り当てが、配線ごとに異なることを特徴とする請求項１乃至請求項３いずれかに記載の遊技機。
【発明の詳細な説明】
【技術分野】
【０００１】
この発明は、回胴式遊技機や弾球遊技機などの遊技機に関し、特にＣＰＵ等の電子部品を搭載した基板を複数備える遊技機に関する。
【背景技術】
【０００２】
回胴式遊技機や弾球遊技機などの遊技機は、遊技媒体の投入を受けてゲームを開始する。遊技機は、回胴の絵柄が揃ったり、入賞口に遊技媒体が入ったときに遊技媒体を払い出すものであるが、上記判断は内部のコンピュータによる抽選の結果に従う。抽選処理や遊技媒体の払い出しなどの制御のために、遊技機はＣＰＵ等の電子部品を搭載した基板を複数備えている。信号の送受信や電源供給のために、基板にはひとつ又は複数のコネクタが設けられている。これらコネクタに複数の電線からなる配線（ワイヤハーネス、単にハーネスとも呼ぶ）のコネクタが接続されることにより、各基板相互間及び電源部との電気的接続が完成し、遊技機は動作可能な状態になる。通常は配線の両端にコネクタが設けられている。
【発明の開示】
【発明が解決しようとする課題】
【０００３】
電子部品を搭載した基板を複数備える遊技機の製造工程や試験工程、あるいは遊技機をホールに設置する際や保守点検する際に、配線のコネクタと基板のコネクタを抜き差しすることが行われる。各基板への電源供給を停止した状態で全ての配線のコネクタを基板のコネクタに正しく接続し、これを確認した後に電源を供給することにより各基板は正常に動作を開始する。これが正しい手順である。
【０００４】
しかし、このような正しい手順は実際の作業現場でしばしば守られないことがある。例えば、電源を供給したままの状態で配線のコネクタと各基板のコネクタを抜き差ししたり、配線のコネクタを基板のコネクタと逆向きで差し込んだりすることがあった。このような不正常な作業が行われると各基板の電子部品を破壊するおそれがあった。このようなことを避けるために作業手順を説明し、作業員に周知徹底すればよいのであるが、実際はそのようにしてもなお正しい手順が守られないことがある。そこで、遊技機側で対策することが求められている。
【０００５】
この発明は上記課題を解決するためになされたもので、配線のコネクタと各基板のコネクタの挿抜に関して不正常な作業が行われた場合、例えば電源のスイッチを入れた状態でコネクタを抜き差ししたり、逆に差し込んだ場合でも基板に損傷を与える可能性を低くできる遊技機を提供することを目的とする。
【課題を解決するための手段】
【０００６】
この発明は、電源を供給する電源部と、遊技機の制御を行う第１処理部と、前記第１処理部からコマンドを受けて動作する第２処理部と、前記第１処理部又は前記第２処理部の制御を受けて動作する周辺基板と、前記電源部から前記第１処理部、前記第２処理部及び前記周辺基板を含む複数の基板への配線を中継する中継基板と、両端にコネクタが設けられ、前記電源部と前記中継基板の間を接続する第１配線と、両端にコネクタが設けられ、前記中継基板と前記複数の基板の間をそれぞれ接続する複数の第２配線とを備える遊技機において、
前記第１配線及び前記第２配線のコネクタの予め定められた端子に、活線挿抜防止信号送出端子と活線挿抜防止信号応答端子が割り当てられ、
前記中継基板は、前記第１配線のコネクタと嵌め合う第１コネクタと、前記第２配線のコネクタとそれぞれ嵌め合う複数の第２コネクタとを備え、前記第１コネクタの前記活線挿抜防止信号送出端子は、いずれかの前記第２コネクタの活線挿抜防止信号送出端子と接続され、前記第１コネクタの前記活線挿抜防止信号応答端子は、いずれかの前記第２コネクタの活線挿抜防止信号応答端子と接続され、前記第１コネクタに接続されていない前記第２コネクタの活線挿抜防止信号送出端子と活線挿抜防止信号応答端子について前記第２コネクタ相互間で一方の活線挿抜防止信号送出端子が他方の活線挿抜防止信号応答端子に接続され、
前記複数の基板は、前記第２配線のコネクタと嵌め合う基板側コネクタをそれぞれ備え、前記基板側コネクタの活線挿抜防止信号送出端子と活線挿抜防止信号応答端子が短絡され、
前記電源部は、前記第１配線の活線挿抜防止信号送出端子で活線挿抜防止信号を送り、前記第１配線の活線挿抜防止信号応答端子から活線挿抜防止信号の応答を受けたとき、前記複数の基板に電源を供給するものである。
【０００７】
この発明は、電源を供給する電源部と、遊技機の制御を行う第１処理部と、前記第１処理部からコマンドを受けて動作する第２処理部と、前記第１処理部又は前記第２処理部の制御を受けて動作する周辺基板と、前記電源部から前記第１処理部、前記第２処理部及び前記周辺基板を含む複数の基板への配線を中継する中継基板と、両端にコネクタが設けられ、前記電源部と前記中継基板の間を接続する第１配線と、両端にコネクタが設けられ、前記中継基板と前記複数の基板の間をそれぞれ接続する複数の第２配線と、両端にコネクタが設けられ、前記第１処理部と前記第２処理部の間を接続する第３配線とを備える遊技機において、
前記第１配線、前記第２配線乃至前記第３配線のコネクタの予め定められた端子に、活線挿抜防止信号送出端子と活線挿抜防止信号応答端子が割り当てられ、
前記中継基板は、前記第１配線のコネクタと嵌め合う第１コネクタと、前記第２配線のコネクタとそれぞれ嵌め合う複数の第２コネクタとを備え、前記第１コネクタの前記活線挿抜防止信号送出端子は、いずれかの前記第２コネクタの活線挿抜防止信号送出端子と接続され、前記第１コネクタの前記活線挿抜防止信号応答端子は、いずれかの前記第２コネクタの活線挿抜防止信号応答端子と接続され、前記第１コネクタに接続されていない前記第２コネクタの活線挿抜防止信号送出端子と活線挿抜防止信号応答端子について前記第２コネクタ相互間で一方の活線挿抜防止信号送出端子が他方の活線挿抜防止信号応答端子に接続され、
前記第１処理部は、前記第２配線のコネクタと嵌め合う第１処理部側コネクタと、前記第３配線のコネクタと嵌め合う通信用コネクタを備え、前記第１処理部側コネクタの活線挿抜防止信号送出端子は、前記通信用コネクタの活線挿抜防止信号送出端子と接続され、前記第１処理部側コネクタの活線挿抜防止信号応答端子は、前記通信用コネクタの活線挿抜防止信号応答端子と接続され、
前記第２処理部は、前記第２配線のコネクタと嵌め合う第２処理部側コネクタと、前記第３配線のコネクタと嵌め合う通信用コネクタを備え、前記第２処理部側コネクタの活線挿抜防止信号送出端子と活線挿抜防止信号応答端子が短絡されるとともに、前記通信用コネクタの活線挿抜防止信号送出端子と活線挿抜防止信号応答端子が短絡され、
前記電源部は、前記第１配線の活線挿抜防止信号送出端子で活線挿抜防止信号を送り、前記第１配線の活線挿抜防止信号応答端子から活線挿抜防止信号の応答を受けたとき、前記複数の基板に電源を供給するものである。
【０００８】
好ましくは、前記活線挿抜防止信号送出端子と前記活線挿抜防止信号応答端子は、コネクタの中心に関して互いに非対称な位置の端子にそれぞれ割り当てられている。
【０００９】
好ましくは、前記第２配線のコネクタの前記活線挿抜防止信号送出端子と前記活線挿抜防止信号応答端子の割り当てが、配線ごとに異なる。
【発明の効果】
【００１０】
この発明によれば、配線のコネクタと各基板のコネクタの挿抜に関して不正常な作業が行われた場合、例えば電源のスイッチを入れた状態でコネクタを抜き差ししたり、逆に差し込んだ場合は電源を供給しないので、不正常な作業により基板に損傷を与える可能性を低くできる。
【００１１】
また、基板間の接続が正しくなされていない場合も電源を供給しないようにできる。
【００１２】
また、活線挿抜防止信号送出端子と活線挿抜防止信号応答端子を、コネクタの中心に関して互いに非対称な位置の端子にそれぞれ割り当てているので、コネクタを逆向きに挿入したときに電源を供給しないようにできる。
【００１３】
また、中継基板を複数の基板に接続する第２配線のコネクタの活線挿抜防止信号送出端子と活線挿抜防止信号応答端子の割り当てを配線ごとに異なるようにしたので、間違った基板に第２配線のコネクタを挿入したときに電源を供給しないようにできる。
【発明を実施するための最良の形態】
【００１４】
発明の実施の形態１．
この発明の実施の形態に係る遊技機について図面を参照して説明する。なお、以下の説明において回胴式遊技機を例にとり説明するが、弾球遊技機の場合も同様である。複数の基板を備える遊技機について適用できる。
【００１５】
図１は回胴式遊技機の電気的な概略構造を示すブロック図である。図１において、メイン基板１、サブ基板２、液晶制御基板２００、ＬＥＤ基板２０２を中継基板１１に接続するための４つの配線Ｗ２ａ乃至Ｗ２ｄを備える例を示すが、これら４つの基板以外のユニット（例えばリール駆動部７０やホッパー駆動部８０）を中継基板１１に接続するための配線を設けてもよい。
【００１６】
回胴式遊技機は、その主要な処理装置としてメイン基板（第１処理部）１とこれからコマンドを受けて動作するサブ基板（第２処理部）２とを備える。なお、少なくともメイン基板１は、外部から接触不能となるようにケース内部に収容され、これら基板を取り外す際に痕跡が残るように封印処理が施されている。
【００１７】
メイン基板１は、遊技者の操作を受けて内部抽選及び入賞判定を行ったり、リールの回転・停止やメダルの払い出しなどの処理を行うためのものである。メイン基板１は、予め設定されたプログラムに従って制御動作を行うＣＰＵと、前記プログラムを記憶する記憶手段であるＲＯＭおよび処理結果などを一時的に記憶するＲＡＭを含む。前述したように、本遊技機においてはＲＡＭの一部又は全部についてバッテリなどのバックアップ電源が用意されていて、この場合は電源断でもデータは失われない。
【００１８】
サブ基板２は、メイン基板１からコマンド信号を受けて内部抽選の結果を報知したり各種演出を行うためのものである。サブ基板２は、前記コマンド信号に応じた予め設定されたプログラムに従って制御動作を行うＣＰＵと、前記プログラムを記憶する記憶手段であるＲＯＭおよび処理結果などを一時的に記憶するＲＡＭを含む。
【００１９】
サブ基板２はメイン基板１からコマンドをうけ、これに従って演出等の処理を行う。コマンドの流れはメイン基板１からサブ基板２への一方のみであり、逆にサブ基板２からメイン基板１へコマンド等が出されることはない。
【００２０】
メイン基板１にはスタートスイッチ３０，ストップスイッチ５０，リール駆動部７０，リール位置検出回路７１、ホッパー駆動部８０、ホッパー８１及びホッパー８１から払い出されたメダルの枚数を数えるためのメダル検出部８２が接続されている。
【００２１】
サブ基板２には図示しない液晶表示装置の制御基板２００、スピーカ２０１、ＬＥＤ基板２０２などの周辺基板（ローカル基板）が接続されている。液晶制御基板２００は、予め設定されたプログラムに従って制御動作を行うＣＰＵと、前記プログラムを記憶する記憶手段であるＲＯＭおよび処理結果などを一時的に記憶するＲＡＭを含む。
【００２２】
スタートスイッチ３０は図示しない回転リールの斜め下方に位置するレバーであって、遊技メダルの投入若しくは図示しないベットスイッチの押下を条件に、図示しないリールユニットの駆動を開始させる。ストップスイッチ５０は、リールユニットの駆動を停止させるためのものである。ストップスイッチ５０は、３つの回転リールそれぞれに対応した三個のスイッチから構成され、各回転リールの下方に１個ずつ配置されているものである。回転リールに対応したストップスイッチ５０の操作により、当該対応した回転リールの回転を停止するように設定されている。
【００２３】
リール駆動部７０は、３つのリールを回転駆動する図示しないステッピングモータを駆動する回路である。各ステッピングモータはリール駆動部７０によって１−２相励磁されており、所定数のパルスの駆動信号が供給されるとそれぞれ１回転する。
【００２４】
リール位置検出回路７１は、リールの近傍に設けられてリールの回転位置を検出するための図示しないフォトインタラプタから出力パルス信号を受け、３つのリールそれぞれの回転位置を検出し、その検出信号を出力するものである。図示しないフォトインタラプタは各リールが一回転する毎に各リールに設けられた遮蔽板を検出してリセットパルスを発生する。このリセットパルスはリール位置検出回路７１を介してメイン基板１のＣＰＵに与えられる。メイン基板１のＲＡＭ内には、各リールについて一回転の範囲内における回転位置に対応した計数値が格納されており、ＣＰＵはリセットパルスを受け取ると、ＲＡＭ内に形成されたこの計数値を“０”にクリアする。このクリア処理により、各シンボルの移動表示と各ステッピングモータの回転との間に生じるずれが、一回転毎に解消されている。
【００２５】
ホッパー駆動部８０は、メダルを収納するとともに指示された入賞に応じた枚数のメダルを払い出すホッパー８１のモーターを駆動する回路である。
【００２６】
メダル検出部８２は、ホッパー８１から払い出されるメダル数を計数するためのものである。メイン基板１のＣＰＵは、このメダル検出部８２から受けた実際に払い出しのあったメダル計数値が入賞に応じた所定の配当枚数データに達した時に、ホッパー駆動部８０による駆動を停止させ、メダル払い出しを終了させる。ホッパー駆動回路８０，メダル検出部８２により、遊技の結果にて得られた入賞に基づいて所定枚数のメダルが遊技者に払い出される。
【００２７】
液晶制御基板２００は、図示しない液晶表示部を駆動するための回路である。
スピーカ２０１は、音声や効果音等の音響を発生するためのものである。
ＬＥＤ基板２０２は、図示しない表示ランプやバックランプを駆動するための回路である。
【００２８】
液晶制御基板２００により表示制御される液晶表示装置、スピーカ２０１や表示ランプ等を含むＬＥＤ基板２０２は演出表示装置を構成する。この演出表示装置は、遊技者に入賞等を報知したり、いわゆるアシストタイム（ＡＴ）において、一定ゲーム間に特定の小役を台自体が何らかのアクションを伴ってユーザに教えるためのものである。
【００２９】
電源部１０は、各基板に電源を供給するものである。中継基板１１は、電源部１０からの配線を一度受け、各基板に分配するとともに、各基板向けの配線用のコネクタを設けたものである。電源部１０と中継基板１１は、両端にコネクタ（第１配線のコネクタ）Ｃ１０、Ｃ１１を設けた配線（ワイヤハーネス）Ｗ１により接続される。中継基板１１とメイン基板１、サブ基板２、液晶制御基板２００、ＬＥＤ基板２０２は、それぞれ両端にコネクタ（第２配線のコネクタ）Ｃ２ａ、Ｃ１を設けた配線Ｗ２ａ、同じくコネクタ（第２配線のコネクタ）Ｃ２ｂ、Ｃ２を設けた配線Ｗ２ｂ、同じくコネクタ（第２配線のコネクタ）Ｃ２ｃ、Ｃ２００を設けた配線Ｗ２ｃ、同じくコネクタ（第２の配線のコネクタ）Ｃ２ｄ、Ｃ２０２を設けた配線Ｗ２ｄにより接続される。これらの配線Ｗ１乃至Ｗ２ｄの各コネクタには、後述のように活線挿抜防止信号送出端子と活線挿抜防止信号応答端子が割り当てられている。なお、各コネクタは活線挿抜防止信号送出端子とその応答端子を含めばよく、これら以外に各コネクタが電源供給用端子又は信号端子を含んでいても構わない。
【００３０】
図２は本発明の実施の形態に係る電源制御系統の説明図である。図２において電源制御に必要な活線挿抜防止信号送出端子とその応答端子（黒丸で示す）のみを示しているが、各配線に電源線や信号線を含んでもよいのはもちろんである。
【００３１】
先に述べたように、電源部１０と中継基板１１は配線（第１配線）Ｗ１により接続され、中継基板１１と各基板１、２、２００、２０２は配線（第２配線）Ｗ２ａ乃至Ｗ２ｄにより接続される。
【００３２】
図２において、電源部１０は、交流電力を受けて直流電力を出力する電源ユニット１０ａと、活線挿抜防止信号（Ｓ１）を出力するとともに、その応答信号（Ｓ２）に基づき電源ユニット１０ａの直流電力出力を各基板に供給するかどうかを制御する電源制御部１０ｂと、電源制御部１０ｂからの電源制御信号（Ｓ３）に基づき直流電力出力の供給をオンオフするスイッチ１０ｃとを備える。
【００３３】
配線Ｗ１に関する電源部１０のコネクタ１０−Ｃ１０の予め定められた端子に、活線挿抜防止信号送出端子と活線挿抜防止信号応答端子が割り当てられている。図２の例では、最左端に活線挿抜防止信号送出端子が割り当てられ、ここに電源制御部１０ｂからの活線挿抜防止信号（Ｓ１）が供給され、最右端からひとつ内側の端子に活線挿抜防止信号応答端子が割り当てられ、電源制御部１０ｂは当該活線挿抜防止信号応答端子から応答信号（Ｓ２）を受け取る（図２では各コネクタの活線挿抜防止信号送出端子と活線挿抜防止信号応答端子を黒丸で表現し、これら以外の端子を白丸で表現している）。なお、このようなコネクタ端子の割り当ては配線Ｗ１に関するコネクタＣ１０、Ｃ１１、１１−Ｃ１１について同じである。
【００３４】
中継基板１１は、配線Ｗ１のコネクタＣ１１と嵌め合うコネクタ（第１コネクタ）１１−Ｃ１１と、配線Ｗ２ａ乃至Ｗ２ｄのコネクタＣ２ａ乃至Ｃ２ｄとそれぞれ嵌め合う複数のコネクタ（第２コネクタ）１１−Ｃ２ａ乃至１１−Ｃ２ｄを備える。コネクタ１１−Ｃ２ｄを除く３つのコネクタ１１−Ｃ２ａ乃至１１−Ｃ２ｃの予め定められた端子に、活線挿抜防止信号送出端子と活線挿抜防止信号応答端子が割り当てられている。図２の例では、３つのコネクタ１１−Ｃ２ａ乃至１１−Ｃ２ｃの最左端に活線挿抜防止信号送出端子が割り当てられ、最右端からひとつ内側の端子に活線挿抜防止信号応答端子が割り当てられている。コネクタ１１−Ｃ２ｄに活線挿抜防止信号送出端子と活線挿抜防止信号応答端子を割り当てないのは、当該コネクタ１１−Ｃ２ｄの配線Ｗ２ｄで接続されるＬＥＤ基板２０２はＣＰＵを持たず、万一活線挿抜しても重大な不具合が生じるおそれがないためである。どの基板の配線について活線挿抜防止信号送出端子と活線挿抜防止信号応答端子を割り当てるかは任意に選択できるが、ＣＰＵを搭載した基板については割り当てることが望ましい。
【００３５】
活線挿抜防止信号送出端子と活線挿抜防止信号応答端子は、コネクタの中心に関して非対称な位置の端子にそれぞれ割り当てられている。非対称な位置とは、例えば、配線Ｗ１の１０ピンのコネクタの場合は第５ピンと第６ピンの間を通る中心線に対して、配線Ｗ２ｂの９ピンのコネクタの場合は第５ピンを通る中心線に対して、活線挿抜防止信号送出端子と活線挿抜防止信号応答端子が互いに対称な位置にない、ということである。この非対称な位置は、コネクタを逆向きに挿入したときに活線挿抜防止信号送出端子と活線挿抜防止信号応答端子同士が接触しないということを意味する。したがって、万一コネクタを逆向きに挿入したときは活線挿抜防止信号のループが完成しないので電源が供給されない。図２の電源制御系統は、活線挿抜を防止するだけでなく、コネクタの逆差したときの電源投入の防止という点でも有効である。なお、図２の例では各配線Ｗ１乃至Ｗ２ｄのコネクタの端子数がそれぞれ異なるので、逆差以外のコネクタの誤挿入は生じない。
【００３６】
中継基板１１において、配線Ｗ１のコネクタＣ１１と嵌め合うコネクタ１１−Ｃ１１の活線挿抜防止信号送出端子は、配線Ｗ２ａ乃至Ｗ２ｃのコネクタＣ２ａ乃至Ｃ２ｃとそれぞれ嵌め合うコネクタ１１−Ｃ２ａ乃至１１−Ｃ２ｃいずれかの活線挿抜防止信号送出端子と接続され（図２の例ではコネクタＣ１１−Ｃ２ａ、配線Ｌ１１ａ）、配線Ｗ１のコネクタＣ１１と嵌め合うコネクタ１１−Ｃ１１の活線挿抜防止信号応答端子は、配線Ｗ２ａ乃至Ｗ２ｃのコネクタＣ２ａ乃至Ｃ２ｃとそれぞれ嵌め合うコネクタ１１−Ｃ２ａ乃至１１−Ｃ２ｃいずれかの活線挿抜防止信号応答端子と接続されている（図２の例ではコネクタ１１−Ｃ２ｃ、配線Ｌ１１ｄ）。配線Ｗ１のコネクタ１１−Ｃ１１に接続されていない配線Ｗ２ａ乃至Ｗ２ｃのコネクタＣ２ａ乃至Ｃ２ｃとそれぞれ嵌め合うコネクタ１１−Ｃ２ａ乃至１１−Ｃ２ｃの活線挿抜防止信号送出端子と活線挿抜防止信号応答端子については、コネクタ１１−Ｃ２ａ乃至１１−Ｃ２ｃ相互間で一方の活線挿抜防止信号送出端子が他方の活線挿抜防止信号応答端子に接続されている（図２の例ではコネクタ１１−Ｃ２ａと１１−Ｃ２ｂが配線Ｌ１１ｂで、コネクタ１１−Ｃ２ｂと１１−Ｃ２ｃが配線Ｌ１１ｃで接続されている）。
【００３７】
別の言い方をすれば、コネクタ１１−Ｃ１１の活線挿抜防止信号送出端子から出て、コネクタ１１−Ｃ２ａ乃至１１−Ｃ２ｃそれぞれを経由してコネクタ１１−Ｃ１１の活線挿抜防止信号応答端子に戻るように、一筆書きの配線が形成されている。
【００３８】
一方、各基板１，２，２００のコネクタ（基板側のコネクタ）１−Ｃ、２−Ｃ、２００−Ｃについて、各基板側コネクタの活線挿抜防止信号送出端子と活線挿抜防止信号応答端子が基板側で短絡されている（Ｌ１，Ｌ２、Ｌ２００）。
【００３９】
電源部１０、中継基板１１、各基板１、２、２００の間で配線が正しく接続された場合（図２はこの状態を示す）、活線挿抜防止信号送出端子と活線挿抜防止信号応答端子はひとつのループを構成する。この状態でコネクタ１０−Ｃ１０の活線挿抜防止信号送出端子から出力された活線挿抜防止信号（Ｓ１）がコネクタ１０−Ｃ１０の活線挿抜防止信号応答端子に応答信号（Ｓ２）として現れる。つまり電源制御部１０ｂは、活線挿抜防止信号（Ｓ１）を送り、応答信号（Ｓ２）を受けたとき各基板が正しく接続されたと判断し、各基板に電源を供給するようにスイッチ１０ｃに電源制御信号Ｓ３を送信してスイッチ１０ｃをオンにする。
【００４０】
発明の実施の形態によれば、各配線のコネクタが正しく挿入されているかどうか確認を行い、正しく挿入されていると判断したときに電源を供給することができる。配線のコネクタと各基板のコネクタの挿抜に関して不正常な作業が行われた場合、例えば電源のスイッチを入れた状態でコネクタを抜き差ししたり、逆に差し込んだ場合には電源を供給しない。したがって誤作業により基板に損傷を与える可能性を低くできる。
【００４１】
コネクタが正しく挿入されているかどうかを判断するために、活線挿抜を防止したい配線について、これらのコネクタを全部経由する活線挿抜検出用の配線を設けている。コネクタが正しく挿入されているときにのみ、活線挿抜検出用の配線は直列に接続され、各基板を一周する。電源部で当該配線の一端に活線挿抜防止信号を送り他端でこれを検出することにより、当該配線のループが完成したかどうかを判断する。当該配線のループが完成したときに電源部は各基板に対して電源を供給する。
【００４２】
図３（ａ）は電源制御部１０ｂをひとつのリレーＲＬＹで構成した例である。上記配線のループが完成したときリレーＲＬＹに電流が流れ、スイッチ１０ｃをオンにする。
【００４３】
図３（ｂ）は、基板１、２、２００、２０２の全部についてコネクタが正しく挿入されているかどうかを判断するときの中継基板１１の配線を示す。コネクタ１１−Ｃ１１の活線挿抜防止信号送出端子から出て、コネクタ１１−Ｃ２ａ乃至１１−Ｃ２ｄそれぞれを経由してコネクタ１１−Ｃ１１の活線挿抜防止信号応答端子に戻るように、一筆書きの配線が形成されている。この場合、ＬＥＤ基板２０２のコネクタ２０２−Ｃの活線挿抜防止信号端子と活線挿抜防止信号応答端子を短絡する。
【００４４】
発明の実施の形態２．
上記発明の実施の形態１では各基板のコネクタの端子数が互いに異なっていたが（図２参照）、各基板のコネクタの端子数が同じ場合であっても本発明を適用できる。発明の実施の形態１では端子数の違いにより、ある基板の配線を他の基板に誤接続することは生じなかったが、発明の実施の形態２ではそのような誤接続が有り得る。このような誤接続を検出するために、中継基板と各基板を接続する配線（第２配線）のコネクタにおいて、活線挿抜防止信号送出端子と活線挿抜防止信号応答端子の割り当てが、配線ごとに異なるようにすればよい。図４にその一例を示す。図４では電源部１０の表示を省略している。
【００４５】
図４において、配線Ｗ２ａ乃至Ｗ２ｄの両端のコネクタ及び中継基板と各基板のコネクタの端子の数は全て同じであるが、配線Ｗ２ａ乃至Ｗ２ｄのコネクタにおいて、活線挿抜防止信号送出端子と活線挿抜防止信号応答端子の割り当てが相互に異なっている。図４においてコネクタの端子を左から第１端子、第２端子、・・・、第６端子と呼ぶとして、配線Ｗ２ａでは第１端子と第５端子に割り当てられ、配線Ｗ２ｂでは第１端子と第４端子に割り当てられ、配線Ｗ２ｃでは第１端子と第３端子に割り当てられ、配線Ｗ２ｄでは第２端子と第４端子に割り当てられている。図４の割り当ては、発明の実施の形態１で説明した、コネクタの中心に関して非対称な位置の端子にそれぞれ割り当てる、という条件も満足する。したがって、コネクタを逆差した場合だけでなく、他の基板にコネクタを挿入した場合にも活線挿抜防止信号のループが完成しないので電源が供給されない。
【００４６】
発明の実施の形態２によれば、他の基板にコネクタを挿入したかどうかを含め、各配線のコネクタが正しく挿入されているかどうか確認を行い、正しく挿入されていると判断したときに電源を供給することができる。したがって誤接続による基板の損傷などの不具合を回避することができる。
【００４７】
発明の実施の形態３．
上記発明の実施の形態１，２では、中継基板１１と各基板の間の配線が正しく接続されているかどうかを判定していたが、これに加えて基板間、例えばメイン基板１とサブ基板２の間の配線Ｗ３についても正しく接続されているかどうか判定するようにしてもよい。そのように構成した遊技機のブロック図を図５に示す。図５では電源部１０の記載を省略している。
【００４８】
図５において、両端にコネクタＣ３−１、Ｃ３−２が設けられ、メイン基板１とサブ基板２の間を接続する通信用の第３配線Ｗ３を備える遊技機を示す。第３配線のコネクタＣ３−１、Ｃ３−２の予め定められた端子に、活線挿抜防止信号送出端子と活線挿抜防止信号応答端子を割り当てる。割り当ての規則は、前述のように、（１）コネクタの中心に関して非対称な位置の端子にそれぞれ割り当てる、（２）他の基板のコネクタと端子数が同じで誤挿入のおそれがあるときは、端子の割り当てが配線ごとに異なるようにする、というものである。
【００４９】
中継基板１１の内部配線は発明の実施の形態１の場合と同じである。
メイン基板１において、コネクタ（第１処理部側コネクタ）１−Ｃ’の活線挿抜防止信号送出端子と活線挿抜防止信号応答端子を第３配線Ｗ３のコネクタＣ３−１と嵌め合うコネクタ１−Ｃ３の活線挿抜防止信号送出端子と活線挿抜防止信号応答端子と配線Ｌ１ａ，Ｌ１ｂでそれぞれ接続する。メイン基板１で受けた活線挿抜防止信号と活線挿抜防止信号応答信号をメイン基板１の他方のコネクタまで延長することになる。
【００５０】
他方、サブ基板２で第３配線Ｗ３のコネクタＣ３−２と嵌め合うコネクタ２−Ｃ３の活線挿抜防止信号送出端子と活線挿抜防止信号応答端子を短絡配線Ｌ２ｂで接続する。コネクタＣ２と嵌め合うサブ基板２の他のコネクタ（第２処理部側コネクタ）２−Ｃ’についても同様にその活線挿抜防止信号送出端子と活線挿抜防止信号応答端子を短絡配線Ｌ２で接続する。
【００５１】
以上のように構成すると活線挿抜防止信号送出端子と活線挿抜防止信号応答端子が第３配線Ｗ３まで延長されるので、当該配線が正常に接続されたかどうか判定することができるようになる。したがって、電源制御部１０ｂは、配線Ｗ１、Ｗ２ａ乃至Ｗ２ｃ、及びＷ３が正しく接続されたときに初めて電源を各基板に供給するようになる。
【００５２】
発明の実施の形態３によれば、電源配線（本発明の実施の形態では配線Ｗ１、Ｗ２ａ，Ｗ２ｂ，Ｗ２ｃ）のみならず、信号用配線（同、配線Ｗ３）が正しく接続されたときのみ電源を供給するので、電源投入後に誤動作、例えばメイン基板からのコマンド信号をサブ基板が正しく受信しないといった不具合を防止することができる。電源投入後、初期設定のためのコマンドをメイン基板からサブ基板へ送るが、サブ基板が正しく接続されていないのに電源が投入されると当該コマンドを受信し損ね、以後の動作が不正常になるおそれがある。発明の実施の形態３によればこのような不具合を防止できるのである。
【００５３】
以上の説明において、回胴式遊技機を例にとり説明したが、本発明はこれに限定されず、弾球遊技機やその他の遊技機にも適用できる。
【００５４】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００５５】
【図１】遊技機の電気配線のブロック図を示す。
【図２】発明の実施の形態１に係る遊技機の電源制御系統図である。
【図３】図３（ａ）は発明の実施の形態に係る電源制御部の例を示す。図３（ｂ）は中継基板の内部配線の他の例を示す。
【図４】発明の実施の形態２に係る遊技機の電源制御系統図である。
【図５】発明の実施の形態３に係る遊技機の電源制御系統図である。
【符号の説明】
【００５６】
１    メイン基板（第１処理部）
２    サブ基板（第２処理部）
１０    電源部
１１    中継基板
３０    スタートスイッチ
５０    ストップスイッチ
７０    リール駆動部
７１    リール位置検出回路
８０    ホッパー駆動部
８１    ホッパー
８２    メダル検出部
２００  液晶制御基板（周辺基板）
２０１  スピーカ（周辺基板）
２０２  ＬＥＤ基板（周辺基板）
Ｗ１    配線（第１配線）
Ｗ２ａ乃至Ｗ２ｄ  配線（第２配線）
Ｃ１０，Ｃ１１  コネクタ（第１配線のコネクタ）
Ｃ１，Ｃ２ａ    コネクタ（第２配線のコネクタ）
Ｃ２，Ｃ２ｂ    コネクタ（第２配線のコネクタ）
Ｃ２００，Ｃ２ｃ  コネクタ（第２配線のコネクタ）
Ｃ２０２，Ｃ２ｄ  コネクタ（第２配線のコネクタ）
１１−Ｃ１１  コネクタ（第１コネクタ）
１１−Ｃ２ａ乃至１１−Ｃ２ｄ  コネクタ（第２コネクタ）
Ｗ３    配線（第３配線）
Ｃ３−１，Ｃ３−２  コネクタ（第３配線のコネクタ）
１−Ｃ，２−Ｃ，２００−Ｃ  コネクタ（基板側コネクタ）
１−Ｃ３，２−Ｃ３  コネクタ（通信用コネクタ）
１−Ｃ’  コネクタ（第１処理部側コネクタ）
２−Ｃ’  コネクタ（第２処理部側コネクタ）
【図１】
2005224539.tif 000003
【図２】
2005224539.tif 000004
【図３】
2005224539.tif 000005
【図４】
2005224539.tif 000006
【図５】
2005224539.tif 000007